【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
インク供給源からインクを受けるように構成された主インク流入部と、
インク供給源へインクを導くように構成された主インク流出部と、
該主インク流入部から該主インク流出部に延びるチャネルと
を備える、インク再循環アセンブリであって、
該チャネルは、流入部分および流出部分を備え、該流入部分および該流出部分は、該流入部分と該流出部分との間に圧力差を形成するように締め具によって分離され、
該チャネルの該流入部分は、１つ以上のプリントヘッドモジュールにインクを届けるように構成され、該流出部分は、１つ以上のプリントヘッドモジュールからインクを受けるように構成され、
該流入部分と該流出部分との間の該圧力差は、該１つ以上のプリントヘッドモジュールにわたる圧力差を生成する、インク再循環アセンブリ。
【請求項２】
前記チャネルは、可撓性のチューブから形成される、請求項１に記載のインク再循環アセンブリ。
【請求項３】
上部層および下部層をさらに備え、
前記チャネルの前記流入部分および前記流出部分は、該下部層に形成され、
インク流入導管が、該下部層に形成され、前記主インク流入部から該流入部分への経路を提供し、
インク流出導管が、該上部層に形成され、前記主インク流出部から該流出部分への経路を提供する、請求項１に記載のインク再循環アセンブリ。
【請求項４】
前記締め具は、前記チャネルを介するインクの流れに実質的に垂直な方向に配置されたネジを備え、該チャネルの前記流入部分と前記流出部分との間の前記圧力差を調整するように可動である、請求項１に記載のインク再循環アセンブリ。
【請求項５】
前記締め具は、クランプを備え、前記チャネルの前記流入部分と前記流出部分との間の前記圧力差を調整するように調整可能である、請求項１に記載のインク再循環アセンブリ。
【請求項６】
インク供給源からインクを受けるように構成された主インク流入部と、
インク供給源へインクを導くように構成された主インク流出部と、
該主インク流入部から該主インク流出部に延びるチャネルであって、該チャネルは、流入部分および流出部分を備え、該流入部分および該流出部分は、該流入部分と該流出部分との間に圧力差を形成するように締め具によって分離される、チャネルと、
該チャネルの該流入部分に形成された複数の第一の開口部であって、該流入部分は、該主インク流入部から該複数の第一の開口部にインクを移動させるように構成され、該複数の第一の開口部のそれぞれは、複数のプリントヘッドモジュールのそれぞれに対するインク流入チャネルへインクを導くように構成される、複数の第一の開口部と、
該チャネルの該流出部分に形成された複数の第二の開口部であって、該流出部分は、該複数の第二の開口部から該主インク流出部へインクを移動させて出すように構成され、該複数の第二の開口部のそれぞれは、複数のプリントヘッドモジュールのそれぞれに対するインク流出チャネルからインクを受けるように構成される、複数の第二の開口部と
を備え、
該流入部分と該流出部分との間の該圧力差は、該複数のプリントヘッドモジュールにわたる圧力差を生成する、インク再循環アセンブリ。
【請求項７】
前記アセンブリは、上部層および下部層をさらに備え、
前記チャネルの前記流入部分および前記流出部分は、該下部層に形成され、
インク流入導管が、該下部層に形成され、前記主インク流入部から該流入部分への経路を提供し、
インク流出導管が、該上部層に形成され、前記主インク流出部から該流出部分への経路を提供する、請求項６に記載のインク再循環アセンブリ。
【請求項８】
前記上部層および前記下部層は、結晶ポリマーから形成され、該上部層は、Ｂステージエポキシによって、該下部層に接着される、請求項７に記載のインク再循環アセンブリ。
【請求項９】
前記締め具は、前記チャネルを介するインクの流れに実質的に垂直な方向に配置されたネジを備え、該チャネルの前記流入部分と前記流出部分との間の前記圧力差を調整するように可動である、請求項６に記載のインク再循環アセンブリ。
【請求項１０】
インク供給源からインクを受けるように構成された主インク流入部と、
インク供給源へインクを導くように構成された主インク流出部と、
該主インク流入部と該主インク流出部との間に延びるチャネルであって、該チャネルは、複数の流入部分および複数の流出部分を含み、該複数の流入部分のそれぞれ一つの流入部分は、締め具によって該複数の流出部分のうちの一つの流出部分から、該それぞれ一つの流入部分と該一つの流出部分との間に圧力差を形成するように、分離される、チャネルと、
該チャネルの各流入部分に形成された複数の第一の開口部であって、各流入部分は、該主インク流入部から該複数の第一の開口部にインクを移動させるように構成され、該複数の第一の開口部のそれぞれは、複数のプリントヘッドモジュールのそれぞれに対するインク流入チャネルへインクを導くように構成される、複数の第一の開口部と、
該チャネルの各流出部分に形成された複数の第二の開口部であって、各流出部分は、該複数の第二の開口部から該主インク流出部へインクを移動させて出すように構成され、該複数の第二の開口部のそれぞれは、複数のプリントヘッドモジュールのそれぞれに対するインク流出チャネルから、インクを受けるように構成される、複数の第二の開口部と
を備え、
該流入部分と該流出部分との間の該圧力差は、該複数のプリントヘッドモジュールにわたる圧力差を生成する、インク再循環アセンブリ。
【請求項１１】
前記アセンブリは、上部層および下部層をさらに備え、
前記チャネルの前記流入部分および前記流出部分は、該下部層に形成され、
インク流入導管が、該下部層に形成され、前記主インク流入部から該流入部分への経路を提供し、
インク流出導管が、該上部層に形成され、前記主インク流出部から該流出部分への経路を提供する、請求項１０に記載のインク再循環アセンブリ。
【請求項１２】
前記上部層および前記下部層は、結晶ポリマーから形成され、該上部層は、Ｂステージエポキシによって、該下部層に接着される、請求項１１に記載のインク再循環アセンブリ。
【請求項１３】
前記締め具のそれぞれは、前記チャネルを介するインクの流れに実質的に垂直な方向に配置されたネジを備え、該チャネルの対応する流入部分と流出部分との間の前記圧力差を調整するように可動である、請求項１０に記載のインク再循環アセンブリ。
【請求項１４】
複数のプリントヘッドモジュールと、
再循環アセンブリと
を備える、インクを再循環させるシステムであって、
該複数のプリントヘッドモジュールのそれぞれは、インク流入チャネルとインク流出チャネルとを備え、
該再循環アセンブリは、
インク供給源からインクを受けるように構成された主インク流入部と、
インク供給源へインクを導くように構成された主インク流出部と、
該主インク流入部から該主インク流出部に延びるチャネルであって、該チャネルは、流入部分および流出部分を備え、該流入部分および該流出部分は、該流入部分と該流出部分との間に圧力差を形成するように締め具によって分離される、チャネルと、
該チャネルの該流入部分に形成された複数の第一の開口部であって、該流入部分は、該主インク流入部から該複数の第一の開口部にインクを移動させるように構成され、該複数の第一の開口部のそれぞれは、該複数のプリントヘッドモジュールのうちの一つに対するインク流入チャネルへインクを導くように構成される、複数の第一の開口部と、
該チャネルの該流出部分に形成された複数の第二の開口部であって、該流出部分は、該複数の第二の開口部から該主インク流出部へインクを移動させて出すように構成され、該複数の第二の開口部のそれぞれは、該複数のプリントヘッドモジュールのうちの一つに対するインク流出チャネルからインクを受けるように構成される、複数の第二の開口部と
を備え、
該流入部分と該流出部分との間の該圧力差は、該複数のプリントヘッドモジュールにわたる圧力差を生成する、システム。